(57)【要約】      （修正有）【課題】従来の欠点を改善する具を包む食品用整列装置を提供する。【解決手段】食品加工設備に設置されて、二つの直角方向に位置するコンベアベルト１、２に隣接して整列装置３が設置されることで、複数のスペースを有する移動板３１が、伝動装置により、複数の移動バー３２が接続した移動板３１が上、下の垂直及び左、右の水平移動をする。さらに、食品加工設備が、具を包む食品４の製作を完了させた後、その下部のコンベアベルト１によって持続的に他の直角方向に配置されたコンベアベルト２まで輸送すると、二個のコンベアベルト１、２に隣接する整列装置３の移動板３１が下に移動することで、移動板３１中の複数のスペースが、それぞれ具を包んだ食品４を一つずつ枠内に制限して、移動板全体が隣接する他のコンベアベルト２の方に移動して、その後、移動板３１が再び上に移動して元の位置に戻り、このような動作を繰り返すことで、自動整列の目的を達成する。【選択図】図１０
0003195247.tif 000002
【実用新案登録請求の範囲】
【請求項１】
食品加工設備に設置されて、二つの直角方向に位置するコンベアベルトに隣接して整列装置が設置されることで、複数のスペースを有する移動板が、伝動装置により、複数の移動バーが接続した移動板が上、下の垂直及び左、右の水平移動をし、さらに、食品加工設備が、具を包む食品の製作を完了させた後、その下部のコンベアベルトによって持続的に他の直角方向に配置されたコンベアベルトまで輸送すると、整列装置の移動板が、それぞれ具を包んだ食品を一つずつ枠内に制限して、さらに、他のコンベアベルトの方に移動して、このような動作を繰り返すことで、自動整列の目的を達成することを特徴とする具を包む食品用整列装置。
【考案の詳細な説明】
【技術分野】
【０００１】
本考案は、具を包む食品用整列装置に関し、特に、食品加工設備に設置されて、二つの直角方向に位置するコンベアベルトに隣接して整列装置が設置されることで、複数のスペースを有する移動板が、伝動装置によって伝動が提供されることにより、食品加工設備が具を包む食品の製作を完了した後、その下部のコンベアベルトによって持続的に他の直角方向に配置されたコンベアベルトまで輸送すると、整列装置の移動板の作動により、数列の具を包んだ食品を枠内に制限して、さらに、他のコンベアベルトの位置へと移動して、このような動作を繰り返し行なうことで、自動整列の目的を達成することを特徴とする具を包む食品用整列装置に関する。
【背景技術】
【０００２】
一般に、食品加工工場では、水ギョーザ、焼きギョーザ、蒸し焼き肉まん、肉まん等の小麦粉で作った皮で具を包む食品の製造工程において、食品加工設備が具を包む食品の自動化製作を完了させた後、その下部のコンベアベルトによって持続的に作業地点まで輸送することで、次の工程に移す。しかしながら、作業場所によっては、複数のコンベアベルトを「接続」する方式により空間を節約して、限られた空間を最大限利用している。しかしながら、接続方式では、特に、直角配列方式の二つのコンベアベルトを設置する際、配列が整然と行なわれなかったり、逸脱したりする問題が生じる。
【考案の概要】
【考案が解決しようとする課題】
【０００３】
したがって、本考案は、従来の欠点を改善する具を包む食品用整列装置を提供することを課題とする。
【課題を解決するための手段】
【０００４】
上記課題を解決するために、本考案の具を包む食品用整列装置は、伝動装置の結合により、複数のスペースを有する移動板が、伝動装置により、複数の移動バーが接続した移動板が上、下の垂直及び左、右の水平移動をする。さらに、食品加工設備が、具を包む食品の製作を完了させた後、その下部のコンベアベルトによって持続的に他の直角方向に配置されたコンベアベルトまで輸送すると、二個のコンベアベルトに隣接する整列装置の移動板が下に移動することで、移動板中の複数のスペースが、それぞれ具を包んだ食品を一つずつ枠内に制限して、移動板全体が隣接する他のコンベアベルトの方に移動して、その後、移動板が再び上に移動して元の位置に戻り、このような動作を繰り返すことで、自動整列の目的を達成することを特徴とする。
【考案の効果】
【０００５】
本考案の具を包む食品用整列装置は、従来の欠点を改善して、自動整列の目的を達成する。
【図面の簡単な説明】
【０００６】
【図１】本考案を示した図である。
【図２】本考案における移動板を示した図（一）である。
【図３】本考案における移動板を示した図（二）である。
【図４】本考案における他の移動板を示した図である。
【図５】本考案の動作を示した図（一）である。
【図６】本考案の動作を示した図（二）である。
【図７】本考案の動作を示した図（三）である。
【図８】本考案の動作を示した図（四）である。
【図９】本考案の動作を示した図（五）である。
【図１０】本考案の動作を示した図（六）である。
【考案を実施するための形態】
【実施例】
【０００７】
まず、図１、図２、図３を参照しながら、本考案の具を包む食品用の整列装置について説明する。
本考案の具を包む食品用の整列装置は、食品加工設備に設置されて、二つの直角方向に位置するコンベアベルト１、２が隣接して設置される。前記整列装置３は、伝動装置の結合により、複数のスペース３１１の移動板３１を形成することで、伝動装置が数本の移動バー３２によって接続された移動板３１の作動によって、上、下の垂直及び左、右の水平移動を形成する。このうち、移動板３１が有する複数のスペース３１１は、一列（図４が示すとおり）または複数列の形態（図３が示すとおり）に設計される。このように、食品加工設備及び二個のコンベアベルト１、２は、直角方向の配置、すなわち、一方の最後端が他方の側面に配置されて隣接するという位置関係によって、前記整列装置３に設置されて（図１が示すとおり）、食品加工設備が具を包む食品４の製作を完了した後、その下部のコンベアベルト１が持続的に最後端すなわち移動板３１の上方まで輸送し（図５が示すとおり）、さらに、二つのコンベアベルト１、２に隣接する整列装置３の移動板３１によって下に移動され、移動板３１中の複数のスペース３１１がそれぞれ各具を包む食品４を枠内に制限し（図６が示すとおり）、さらに、移動板３１全体を速やかに隣接する他のコンベアベルト２の先端の位置まで移動させることで（図７が示すとおり）、コンベアベルト２は移動中の状態である具を包む食品４の位置を移動させる。移動板３は上に移動し（図８が示すとおり）、さらに、元のコンベアベルト１が製作が完了した具を包む食品４を最後端まで輸送する。移動板３１は再び元の位置に戻ることで（図９が示すとおり）、前術の動作を繰り返す（図６から図８が示すとおり）。このようにして、作業の自動化を達成する外、移動板３１中の複数のスペース３１１がそれぞれ具を包む食品４を一つひとつ枠内に制限するため、移動して位置固定された後、整然とコンベアベルト２中に配列させて（図１０が示すとおり）、整列させる目的を達成する。
【符号の説明】
【０００８】
１          コンベアベルト
２           コンベアベルト
３          整列装置
３１         移動板
３１１      スペース  
３２       移動バー
４          具を包む食品
【図１】
0003195247.tif 000003
【図２】
0003195247.tif 000004
【図３】
0003195247.tif 000005
【図４】
0003195247.tif 000006
【図５】
0003195247.tif 000007
【図６】
0003195247.tif 000008
【図７】
0003195247.tif 000009
【図８】
0003195247.tif 000010
【図９】
0003195247.tif 000011
【図１０】
0003195247.tif 000012